(57)【特許請求の範囲】
【請求項１】
マルチバンドセルラ通信装置のスタートアップにおいて周波数の初期走査を行う方法であって、前記方法は、
前記マルチバンドセルラ通信装置が複数の周波数帯域の中にある複数の周波数の少なくとも１つで基地局との接続を確立するものと考えられる前記複数の周波数帯域の周波数の近傍の周波数で送信を行う他の通信装置からの干渉信号があるかどうかを判断する工程（１００）と、
前記判断が干渉信号がないとの結果を与えるなら（１０２）、前記マルチバンドセルラ通信装置が前記複数の周波数帯域の中にある複数の周波数の少なくとも１つで基地局との接続を確立するものと考えられる前記複数の周波数帯域の周波数での単純な走査を含む第１の走査手順を適用する工程（１０４）と、
前記判断が干渉信号があるとの結果を与えるなら（１０２）、前記判断された干渉信号を考慮した第２の走査手順を適用する工程（１０６）とを有し、
前記第２の走査手順（１０６）は、前記周波数の走査において前記判断された干渉信号の近傍に存在する前記周波数帯域の少なくとも一部についての付加的な信号処理を、前記判断された干渉信号が考慮されるように実行する工程を含むことを特徴とする方法。
【請求項２】
前記干渉信号があるかどうかを判断する工程（１００）は、前記マルチバンドセルラ通信装置が前記複数の周波数帯域の中にある複数の周波数の少なくとも１つで基地局との接続を確立するものと考えられる前記複数の周波数帯域の周波数の近傍における少なくとも１つの周波数で信号エネルギーを検出する工程（３０５）を含むことを特徴とする請求項１に記載の方法。
【請求項３】
前記干渉信号があるかどうかを判断する工程（１００）は、前記マルチバンドセルラ通信装置が前記複数の周波数帯域の中にある複数の周波数の少なくとも１つで基地局との接続を確立するものと考えられる前記複数の周波数帯域の周波数の近傍の周波数で送信を行う前記他の通信装置内の回路からの干渉信号の存在についての情報を受信する工程（３０３）を含むことを特徴とする請求項１又は２に記載の方法。
【請求項４】
前記干渉信号があるかどうかを判断する工程（１００）は、そのような干渉信号の先験的な知識を保持する回路から、干渉信号が存在することの可能性についての情報を受信する工程（３０１）を含むことを特徴とする請求項１乃至３のいずれか１項に記載の方法。
【請求項５】
前記第２の走査手順（１０６）は、前記周波数の走査（４０２）による前記判断された干渉信号の近傍に存在する前記周波数帯域の少なくとも一部を、前記干渉信号に基づいて、除外する工程（４００）を含むことを特徴とする請求項１乃至４のいずれか１項に記載の方法。
【請求項６】
前記第２の走査手順（１０６）は、前記判断された干渉信号の近傍に存在する前記周波数帯域の少なくとも一部に対する増加された信号収集を提供することを特徴とする請求項１に記載の方法。
【請求項７】
プロセッサにより実行されるとき、前記プロセッサに請求項１乃至６のいずれか１項に記載の方法を実行させるプログラム命令を含むことを特徴とするコンピュータプログラム。
【請求項８】
マルチバンドセルラ通信装置（２００）のスタートアップにおいて周波数の初期走査を行う周波数走査装置（２０６）であって、
前記マルチバンドセルラ通信装置が複数の周波数帯域の中にある複数の周波数の少なくとも１つで基地局との接続を確立するものと考えられる前記複数の周波数帯域の周波数の近傍の周波数で送信を行う他の通信装置からの干渉信号があるかもしれない場合に、
前記周波数走査装置（２０６）は、
そのような干渉信号があるかどうかを判断し、
前記判断の結果が干渉信号がないことを示すなら、前記マルチバンドセルラ通信装置が前記複数の周波数帯域の中にある複数の周波数の少なくとも１つで基地局との接続を確立するものと考えられる前記複数の周波数帯域の周波数での単純な走査を含む第１の走査手順を適用し、
前記判断の結果が干渉信号があることを示すなら、前記判断された干渉信号を考慮した第２の走査手順を適用するよう構成されており、
前記第２の走査手順は、前記周波数の走査において前記判断された干渉信号の近傍に存在する前記周波数帯域の少なくとも一部についての付加的な信号処理を、前記判断された干渉信号が考慮されるように実行することを含むことを特徴とする周波数走査装置。
【請求項９】
前記第２の走査手順は、判断された干渉源の近傍に存在する前記周波数帯域の少なくとも一部を、前記干渉信号に基づいて、前記周波数の走査から除外することを含むことを特徴とする請求項８に記載の周波数走査装置。
【請求項１０】
前記第２の走査手順は、前記判断された干渉信号の近傍に存在する前記周波数帯域の少なくとも一部に対する増加された信号収集を提供することを特徴とする請求項８に記載の周波数走査装置。
【請求項１１】
前記干渉信号のいずれかについての情報を収集するようにさらに構成されることを特徴とする請求項８乃至１０のいずれか１項に記載の周波数走査装置。
【請求項１２】
前記干渉信号があるかどうかについて前記収集された情報は、前記マルチバンドセルラ通信装置（２００）が前記複数の周波数帯域の中にある複数の周波数の少なくとも１つで基地局との接続を確立するものと考えられる前記複数の周波数帯域の周波数の近傍の周波数で送信を行う前記マルチバンドセルラ通信装置（２００）内の回路（２０１）からの干渉信号の存在についての情報を含むことを特徴とする請求項１１に記載の周波数走査装置。
【請求項１３】
前記干渉信号があるかどうかについて前記収集された情報は、そのような干渉信号の先験的な知識を保持する回路（２０４）から、干渉信号が存在することの可能性についての情報を含むことを特徴とする請求項１２に記載の周波数走査装置。
【請求項１４】
マルチバンドセルラ通信装置（２００）のスタートアップにおいて周波数の初期走査を行う無線アクセス回路であって、
前記マルチバンドセルラ通信装置が複数の周波数帯域の中にある複数の周波数の少なくとも１つで基地局との接続を確立するものと考えられる前記複数の周波数帯域の周波数の近傍の周波数のいずれかに同調するよう構成された受信器（２０２）と、
前記いずれかの周波数で送信を行う他の通信装置からの干渉信号があるかどうかを判断するために前記いずれかの周波数での信号エネルギーを決定するように構成された信号エネルギー決定回路（２０８）と、
請求項８乃至１３のいずれか１項に記載の周波数走査装置とを有し、
前記受信器（２０２）はさらに、前記適用された周波数走査手順に従う周波数に同調されるように構成されることを特徴とする無線アクセス回路。
【請求項１５】
前記信号エネルギー決定回路（２０８）は、前記いずれかの干渉信号の信号エネルギーを測定するよう構成された信号エネルギー測定回路を有することを特徴とする請求項１４に記載の無線アクセス回路。
【請求項１６】
前記信号エネルギー決定回路（２０８）は、前記いずれかの干渉信号の源からの情報を受信するよう構成された信号エネルギー情報受信器を有することを特徴とする請求項１４又は１５に記載の無線アクセス回路。
【発明の詳細な説明】
【技術分野】
【０００１】
本発明は、マルチバンドセルラ通信装置のスタートアップにおける複数の周波数の初期走査を行う方法、周波数走査制御装置、及び、その制御装置を含む装置に関する。
【背景技術】
【０００２】
セルラ電話、広域無線ネットワークのモデム装置、或いは、セルラネットワークを用いた装置間通信の通信装置のような通信装置は今日、広帯域の周波数幅で通信を行うことができるように構成されている。スタートアップにおいて、その装置は基地局を見出して接続を確立するために利用可能な周波数帯域を走査する。利用可能な異なる周波数帯域の数が増えているために、その周波数帯域の内の少なくともいくつかが特定のロケーションでは用いられる一方、他の周波数帯域は周波数割当のローカルな規則に依存して別のロケーションで用いられ、走査手順は相対的に長い時間がかかる。複数の周波数帯域で何らかの干渉が存在するなら、走査はさらに複雑なものとなる。特許文献１は、他のシステムが用いられている周波数帯域内で干渉するかもしれない無線システムのための周波数選択方法を開示している。所定のレベルの干渉がある周波数は回避され、従って、チャネル検索は乱されるチャネルを避けるので、これによりその探索はより高速にできる。
【先行技術文献】
【特許文献】
【０００３】
【特許文献１】国際出願公開第２００５／０９９１７４号パンフレット
【発明の概要】
【発明が解決しようとする課題】
【０００４】
これに加えて、例えば、Bluetooth（登録商標）無線技術、無線ローカルエリアネットワーク（ＷＬＡＮ）技術、或いは、何らかの短距離無線技術のようなセルラではないシステムのような他の通信技術が隣接する周波数帯域に存在すると、セルラ通信を確立するための走査を乱すかもしれない干渉、特に、そのような隣接する周波数帯域の近傍にある走査される複数の周波数帯域の周波数に関する干渉を引き起こすことになるかもしれない。即ち、そのような他の通信技術が用いられる周波数の近傍の周波数における雑音レベルがかなりの程度大きくなるかもしれない。これはさらに、セルラ通信を確立するための時間を長くすることになるかもしれず、また、走査手順が干渉を処理することができるためにより複雑になるので、走査のための電力消費を増やすことになるかもしれない。
【０００５】
それ故に、セルラ通信装置のスタートアップにおいてセルラ通信を確立するための効率を向上させることが望まれている。
【課題を解決するための手段】
【０００６】
本発明は、走査手順の適合が、セルラ通信ネットワークからの所望の信号を何らかの干渉とは区別することがいかに難しいことであるかという理解に基づいてなされている。発明者らは、干渉が存在しない場合には単純な、即ち、さほど複雑ではない走査を適用することによりかなりの時間を電力を節約することができる一方、隣接する周波数帯域に干渉源が存在する場合には適合された、即ち、より複雑な走査を適用することにより信頼性を維持することができることを見出した。
【０００７】
本発明を第１の側面から見ると、マルチバンドセルラ通信装置のスタートアップにおいて周波数の初期走査を行う方法が備えられる。その方法は、前記マルチバンドセルラ通信装置が複数の周波数帯域の中にある複数の周波数の少なくとも１つで基地局との接続を確立するものと考えられる前記複数の周波数帯域の周波数の近傍の周波数で送信を行う他の通信装置からの干渉信号があるかどうかを判断する工程を有する。前記判断が干渉信号がないとの結果を与えるなら、前記マルチバンドセルラ通信装置が前記複数の周波数帯域の中にある複数の周波数の少なくとも１つで基地局との接続を確立するものと考えられる前記複数の周波数帯域の周波数での単純な走査を含む第１の走査手順が適用される。或いは、前記判断が干渉信号があるとの結果を与えるなら、前記判断された干渉信号を考慮した第２の走査手順が適用される。
【０００８】
前記干渉信号があるかどうかを判断する工程は、前記マルチバンドセルラ通信装置が複数の周波数帯域の中にある複数の周波数の少なくとも１つで基地局との接続を確立するものと考えられる前記複数の周波数帯域の周波数の近傍における少なくとも１つの周波数で信号エネルギーを検出する工程を含むと良い。前記干渉信号があるかどうかを判断する工程は、付加的に、或いは、代替的に、前記マルチバンドセルラ通信装置が複数の周波数帯域の中にある複数の周波数の少なくとも１つで基地局との接続を確立するものと考えられる前記複数の周波数帯域の周波数の近傍の周波数で送信を行う前記セルラ通信装置内の回路からの干渉信号の存在についての情報を受信する工程を含んでも良い。
【０００９】
前記干渉信号があるかどうかを判断する工程は、そのような干渉信号の先験的な知識を保持する回路から、干渉信号が存在することの可能性についての情報を受信する工程を含んでも良い。
【００１０】
前記第２の走査手順は、前記周波数の走査により前記判断された干渉信号の近傍に存在する前記周波数帯の少なくとも一部を、前記干渉信号に基づいて、除外する工程を含んでも良い。
【００１１】
前記第２の走査手順は、前記周波数の走査により前記判断された干渉信号の近傍に存在する前記周波数帯の少なくとも一部についての付加的な信号処理を、前記判断された干渉信号が考慮されるように実行する工程を含んでも良い。前記第２の走査手順は、前記判断された干渉信号の近傍に存在する前記周波数帯の少なくとも一部に対する増加された信号収集を提供しても良い。
【００１２】
本発明を第２の側面から見ると、プロセッサにより実行されるとき、前記プロセッサに前記第１の側面に従う方法を実行するプログラム命令を含むことを特徴とするコンピュータプログラムを備える。
【００１３】
本発明を第３の側面から見ると、マルチバンドセルラ通信装置のスタートアップにおいて周波数の初期走査を行う周波数走査装置を備える。ここで、前記マルチバンドセルラ通信装置が複数の周波数帯域の中にある複数の周波数の少なくとも１つで基地局との接続を確立するものと考えられる前記複数の周波数帯域の周波数の近傍の周波数で送信を行う他の通信装置からの干渉信号があるかもしれない場合がある。その場合に、その周波数走査装置は、そのような干渉信号があるかどうかを判断し、その判断の結果が干渉信号がないことを示すなら、前記マルチバンドセルラ通信装置が前記複数の周波数帯域の中にある複数の周波数の少なくとも１つで基地局との接続を確立するものと考えられる前記複数の周波数帯域の周波数での単純な走査を含む第１の走査手順を適用し、その判断の結果が干渉信号があることを示すなら、前記判断された干渉信号を考慮した第２の走査手順を適用するよう構成されていることを特徴とする。
【００１４】
前記第２の走査手順は、前記周波数走査により前記判断された干渉信号の近傍に存在する前記周波数帯の少なくとも一部を、前記干渉信号に基づいて、除外することを含むと良い。
【００１５】
前記第２の走査手順は、前記周波数走査により前記判断された干渉源の近傍に存在する前記周波数帯の少なくとも一部についての付加的な信号処理を、前記判断された干渉信号が考慮されるように実行することを含むと良い。
【００１６】
前記第２の走査手順は、前記判断された干渉源の近傍に存在する前記周波数帯の少なくとも一部に対する増加された信号収集を提供すると良い。
【００１７】
前記周波数走査装置はさらに、前記干渉信号のいずれかについての情報を収集するように構成されると良い。前記干渉信号があるかどうかについて収集された情報は、前記マルチバンドセルラ通信装置が複数の周波数帯域の中にある複数の周波数の少なくとも１つで基地局との接続を確立するものと考えられる前記複数の周波数帯域の周波数の近傍の周波数で送信を行う前記マルチバンドセルラ通信装置内の回路からの干渉信号の存在についての情報を含むと良い。前記干渉信号があるかどうかについて収集された情報は、そのような干渉信号の先験的な知識を保持する回路から、干渉信号が存在することの可能性についての情報を含むと良い。
【００１８】
本発明を第４の側面から見ると、マルチバンドセルラ通信装置のスタートアップにおいて周波数の初期走査を行う無線アクセス回路を備える。その回路は、前記マルチバンドセルラ通信装置が複数の周波数帯域の中にある複数の周波数の少なくとも１つで基地局との接続を確立するものと考えられる前記複数の周波数帯域の周波数の近傍の周波数のいずれかに同調するよう構成された受信器と、前記いずれかの周波数で送信を行う他の通信装置からの干渉信号があるかどうかを判断するために前記いずれかの周波数での信号エネルギーを決定するように構成された信号エネルギー決定回路と、前記第３の側面に従う周波数走査装置とを有し、前記受信器はさらに、前記適用された周波数走査手順に従う周波数に同調されるように構成されることを特徴とする。
【００１９】
前記信号エネルギー決定回路は、前記いずれかの干渉信号の信号エネルギーを測定するよう構成された信号エネルギー測定回路を有すると良い。
【００２０】
前記信号エネルギー決定回路は、前記いずれかの干渉信号の源からの情報を受信するよう構成された信号エネルギー情報受信器を有すると良い。
【図面の簡単な説明】
【００２１】
【図１】実施例に従う方法を模式的に例示するフローチャートである。
【図２】実施例に従う装置を模式的に例示するブロック図である。
【図３】実施例に従う干渉信号についての情報を取得する手順を模式的に例示するフローチャートである。
【図４】実施例に従う第１の走査手順を模式的に例示するフローチャートである。
【図５】実施例に従う第２の走査手順を模式的に例示するフローチャートである。
【図６】実施例に従うコンピュータプログラムを有するコンピュータ可読媒体を模式的に例示する図である。
【発明を実施するための形態】
【００２２】
図１は、セルラ電話がセルラネットワークとの確立した通信を見出すための、実施例に従う方法を模式的に例示するフローチャートである。信号の判断を行うステップ１００において、１つ以上の干渉信号があるか、或いは、干渉信号がないか、そのような場合があるかどうかが判断される。その判断は、以下に図３を参照して例示された複数のアプローチのいずれかに基づいて判断がなされる。
【００２３】
もし、１つ以上の干渉信号が存在するなら、その干渉信号がどの周波数に或いはどの周波数帯域にあるのかについての情報が取得される。走査手順の決定ステップ１０２では、第１の走査手順を適用するのか、或いは、第２の走査手順を適用するのかについての決定がなされる。
【００２４】
走査手順の目的は、セルラネットワーク、即ち、そのセルラネットワークの基地局を見出して、この分野では“キャンプオン”と呼ばれる通信を確立することである。その走査は基本的には、端末がセルラ通信を実行するように構成された複数の周波数帯域内の複数の周波数を、その端末が聴取するという手順である。その聴取は基地局からの信号を見出すことを目的としている。ここで、その信号は、セルラ通信の確立を可能にする情報を提供する、即ち、この分野では、“セルサーチ”と呼ばれるキャンプオンするための基地局を見出すための情報を提供する。
【００２５】
もし干渉源が存在しないなら、端末は、各搬送周波数が基地局がその搬送周波数での通信を提供するかどうかを判断することができるために、非常に短い時間、例えば、１０ミリ秒から２００ミリ秒、聴取し、それから、通信がまだ確立されていないなら次の搬送周波数に移る必要があるだけである。この環境では、この種の走査は単純な走査と呼ばれ、この実施例では第１の走査手順と名付けられている。
【００２６】
しかしながら、例えば、Bluetooth（登録商標）や無線ローカルエリアネットワーク通信のような非セルラ通信からの干渉信号が存在するなら、端末は基地局からの信号を復号することができないか、或いは、それが信号であるにもかかわらず基地局からの搬送波である周波数において現在の信号を誤って解釈したり、非セルラ通信から放射する信号が原因となる干渉を誤って解釈することがある。これは、もっと複雑な走査手順を用いて処理される。しかしながら、特に、複数の周波数帯域内でセルラ通信を実行することが可能な端末を考慮するときには、そのような複雑な走査手順を用いることは通常、より多くの時間やエネルギーを消費する。
【００２７】
従って、決定ステップ１０２は、何らかの干渉源について得られた情報を考慮し、考慮すべき干渉源が存在しないと判断された場合には、第１の走査手順、即ち、単純な走査手順が第１の走査手順適用ステップ１０４において適用されることなる。或いは、１つ以上の干渉源が存在する場合には、第２の走査手順、即ち、より複雑な走査手順が第２の走査手順適用ステップ１０６において適用されることなる。第２の走査手順は、例えば、以下に図４と図５とを参照して例示する複数の実施例のいずれかとして、判断された干渉の状況に対して適合されたアプローチに従うことができる。
【００２８】
図２は実施例に従う装置２００を模式的に例示するブロック図である。装置２００はセルラ通信のために構成され、またオプション的には非セルラ通信のためにも構成された端末である。従って、装置２００がセルラ通信と非セルラ通信の両方のために構成されたものである場合、干渉は装置２００それ自身が関与している通信がその原因ともなりえる。そのような場合、干渉の知識は装置内での、例えば、非セルラ通信用のトランシーバ２０１のような、装置２００において非セルラ通信を提供するメカニズムから得られる。
【００２９】
装置２００は、１つ以上の周波数帯域において１つ以上の基地局との通信を行うように構成されたセルラ通信用のトランシーバ２０２を有している。トランシーバ２０２は好ましくは更なる回路２０４に接続される。例えば、その回路は中央処理ユニット、信号プロセッサ、コントローラ、メモリ、ポート、ユーザインタフェースなどを有し、セルラ電話のようなセルラ通信装置として動作するような装置、広域無線ネットワーク用のモデム装置、或いは、セルラネットワークを用いた装置間通信用の通信装置のタスクを実行するように構成されている。更なる回路２０４の機能や特徴は原理的にはこの技術分野の範囲にある通常の特徴や機能であり、本発明の中核の部分ではない。更なる回路２０４は説明を簡単にするために“更なる回路”という用語で集約される１つ以上のエンティティであると良く、その目的は改善された走査手順の特定要素に直接的には関与しない構成要素を示すことである。しかしながら、更なる回路２０４の一部は、以下で説明するように、ある情報を他の構成要素に提供することを可能としたり、また、適合された信号処理を備えることにより、本発明の特徴に対して適合されても良い。
【００３０】
装置２００はさらに走査スケジューラ２０６を含む。走査スケジューラ２０６は、図１を参照して示されたアプローチに従う走査手順の動作を制御する走査制御装置と考えられる。走査スケジューラ２０６は、複数の周波数帯域を走査するときにトランシーバ２０２の同調を制御するトランシーバ２０２に接続される。走査スケジューラ２０６は、第１の、単純な走査手順を適用するのか、或いは、第２の、適合された走査手順を適用するのかを決定する。この決定は、セルラネットワークから受信する情報に基づいている、即ち、トランシーバ２０２と更なる回路２０４を介してエネルギー決定回路２０８に提供される。この決定は、上述のように、代替的に或いは付加的に、装置それ自身が原因となる干渉についての情報に基づいていても良い。ここで、干渉源のバンド幅も考慮される。例えば、Bluetooth（登録商標）の信号は１ＭＨｚのオーダのバンド幅をもつ一方、ＷＬＡＮ信号は２０ＭＨｚのオーダのバンド幅をもつ。ここで、干渉源の“近傍の周波数”の意味は、干渉源のバンド幅の知識に依存して異なって考慮される。つまり、干渉源の帯域幅が広くなれば、“近傍”も広くなる。この決定は代替的に或いは付加的に１つ以上の干渉源を判断するために信号を測定することに基づいていても良い。その測定は好ましくは、走査に先だって、トランシーバ２０２を、干渉源が存在するかもしれない周波数に、例えば、非セルラ通信システムがその周波数帯域の近くに存在するかもしれず、その周波数帯域の境界で搬送周波数に干渉を生じさせるかもしれない走査がなされることになる周波数帯域の端部に同調させることにより実行されると良い。干渉源から受信されるどんな信号も、信号を受信するトランシーバ２０２と干渉源の大きさを提供する走査スケジューラ２０６とに接続されるエネルギー決定回路２０８により判断される。従って、信号エネルギー決定回路２０８は、どんな干渉信号の信号エネルギーも測定するように構成された信号エネルギー測定回路と、どんな干渉信号の源からの情報も受信するように構成された信号エネルギー情報受信器との内の少なくともいずれかを有すると良い。
【００３１】
１つ以上の上述したアプローチによって取得された１つ以上の干渉源の知識に基づいて、走査スケジューラは、もし顕著な干渉源がないと判断するなら第１の走査手順を適用し、もし１つ以上の顕著な干渉源が存在すると判断するなら第２の走査手順を適用する。第１の走査手順、即ち、単純な走査手順は単に基地局を見出しキャンプオンするために複数の周波数帯域にわたって走査を行うように構成されている。以下に説明する第２の走査手順、即ち、いずれかの適合された走査手順は、判断された１つ以上の干渉源を考慮したより複雑な走査を提供する。
【００３２】
第２の走査手順は、判断された干渉源の近傍にある搬送波周波数に対して少なくとも付加的な或いは適合された信号処理を実行するステップを含むと良い。従って、走査スケジューラ２０６は、トランシーバ２０２で受信されるいずれのセルラ信号も干渉源から区別されるように、信号処理を適合させるための信号処理を実行する更なる回路２０４の一部を制御する。そのような信号処理は大きな塊（チャンク）の信号を必要とするかもしれない。その場合、その走査スケジューラは走査の速度を落とし、即ち、各搬送波周波数、少なくとも１つ以上の干渉源の１つ以上の周波数の近傍にある周波数に対して、夫々、少し長く聴取を行うかもしれない。例えば、各搬送波周波数に対する普通の時間は１０〜２００ミリ秒でよいのに対し、少し長い時間とは１〜２秒となる。より長い聴取時間はそれ自身で十分な長さであり、通常の信号処理が用いられてセルラ信号と干渉源とを区別する。
【００３３】
第２の走査手順は判断された干渉源の近傍にある搬送波周波数を除外するステップを含むことができる。従って、走査スケジューラ２０６はトランシーバ２０２を制御して、その走査中は判断された干渉源の近傍にはない搬送波周波数にのみ同調する。
【００３４】
走査スケジューラ２０６とエネルギー決定回路２０８との内の少なくともいずれかは、“更なる回路”という用語により共にされた複数の構成要素のいずれかのような他の回路の一部であっても良いが、走査スケジューラ２０６とエネルギー決定回路２０８の機能を理解するために別の構成要素として例示されている。走査スケジューラ２０６とエネルギー測定部２０８との内の少なくともいずれかはもちろん、別の回路であっても良い。
【００３５】
図３は実施例に従う干渉源についての情報を取得する手順を模式的に例示するフローチャートである。図２を参照して例示したように、干渉源の先験的な知識を判断し（３０１）、干渉源についての情報を受信し（３０３）、干渉源の測定を行う（３０５）１つ以上のステップが、その情報を取得するために用いられる。従って、ステップ３０１、３０３、３０５の内の１つ以上は、少なくとも顕著な干渉源があるかどうかの判断を干渉源情報の判断ステップ３０６で行うように実行される。判断ステップ３０６は、干渉源の指標と閾値とを比較して、その干渉源についての情報が考慮されるべきであるかどうか、即ち、何らかの干渉源が“顕著なもの”であると考えられるかどうかを判断するステップを含むことができる。判断ステップ３０６はまた、第２の走査手順の適合において用いるのに適切な方法でその情報を構成するステップも含むことができる。構成された情報は、干渉源の周波数を含むことができ、また、干渉源の信号レベルとバンド幅との内の少なくともいずれかを含むことができる。
【００３６】
図４は実施例に従う第２の走査手順を模式的に例示するフローチャートである。周波数排他ステップ４００において、何らかの干渉源の近傍にある搬送波周波数は、例えば、走査される予定の複数の搬送波周波数のリストから排除することにより、走査から除外される。ここで、“近傍”とは、周波数でカウントされる最近接のだだ１つの搬送波周波数或いは最近接の３つの搬送波周波数のような固定値であっても良いし、或いは、干渉源の決定されたバンド幅と信号レベルとの内の少なくともいずれかに基づいた適合値であっても良い。それから、走査ステップ４０２で走査が実行される。ここで、依然として走査されることになる複数の搬送波周波数に同調され、セルラネットワークの装置、即ち、基地局からの信号に対してチェックがなされる。
【００３７】
図５は実施例に従う第２の走査手順を模式的に例示するフローチャートである。聴取時間拡張ステップ５０１において、搬送波周波数を聴取する時間が、例えば、通常の１０〜２００ミリ秒から１〜２秒に拡張され、何らかの干渉源とセルラ信号との区別を行うことを容易にする。このステップは単独のステップとして用いられても良いし、或いは、ここでは図５に図示されているように、付加的信号処理ステップ５０２において付加的な信号処理を適用するためのオプションとして用いられても良い。付加的な信号処理は、複数のフィルタの適用、例えば、アダプティブフィルタと複素フィルタとの内の少なくともいずれかを適用し、何らかの干渉源とセルラ信号との区別を行う処理を含むことができる。収束のためにいくらかの時間を要するかもしれないアダプティブフィルタの使用時には、拡張された聴取時間との組み合わせが特に有利である。
【００３８】
複数の実施例のいくつかに従う方法は、図２を参照して例示した更なる回路２０４のＣＰＵと信号プロセッサとの内の少なくともいずれかのような処理手段の助けをかりて実装するのに適したものである。それ故に、図１、３、４、５のいずれかを参照して説明した複数の実施例のいずれかに従う複数の方法のいずれかのステップを装置の処理手段或いはプロセッサに実行させるよう構成された複数の命令を有するコンピュータプログラムが備えられる。そのコンピュータプログラムは好ましくは、図６に例示されているようになコンピュータ可読媒体６００に格納されたプログラムコードを含み、そのプログラムコードがロードされ、装置の処理手段或いはプロセッサ６０２により実行され、好ましくは図１、３、４、５、のいずれかを参照して説明した複数の実施例のいずれかとして、本発明の複数の実施例に従う複数の方法のそれぞれを実行すると良い。プロセッサ６０２とコンピュータプログラム製品６００とは、これら方法のいずれかの動作がステップ順に実行されるようにプログラムコードを順次的に実行するように構成されても良いが、それらの動作を実時間的に実行するように、即ち、これらの動作が要求に応じてか、或いは、利用可能な入力データがあったときかの内の少なくともいずれかに応じて実行されるように構成されても良い。その処理手段或いはプロセッサ６０２は好ましくは通常は組み込み型システムとして言及されるものである。従って、図６において描かれているコンピュータ可読媒体６００とプロセッサ６０２は、本発明の原理の理解を提供するためだけの例示的な目的のためのものであると解釈されるべきものであって、本発明の構成要素の直接的な例示として解釈されるべきものではない。
【図１】
0005438831.tif 000002
【図２】
0005438831.tif 000003
【図３】
0005438831.tif 000004
【図４】
0005438831.tif 000005
【図５】
0005438831.tif 000006
【図６】
0005438831.tif 000007